(57)【要約】      （修正有）【課題】簡単な構造で、空気を浄化することができ、ウイルス感染等を有効に防ぐことができる空気浄化アタッチメントおよび空気清浄機を提供する。【解決手段】空気を本体部内に吸引して該吸引した空気を吹き出し部３２から排出する機能を備えた装置における、吹き出し部３２の近傍に取付けて使用する。二酸化塩素粉末を内部の収容空間に収容し得る収容体２１を備えており、収容体２１には、内部と外部を連通し、二酸化塩素粉末が気化して発生した二酸化塩素ガスＡを外部に供給し得る通気部２１ａが設けられている。【選択図】図１
0003162441.tif 000002
【実用新案登録請求の範囲】
【請求項１】
空気を本体部内に吸引して該吸引した空気を吹き出し部から排出する機能を備えた装置における、該吹き出し部の近傍に取付けて使用するための付属具であって、
該付属具は、
二酸化塩素粉末を内部の収容空間に収容し得る収容体を備えており、
該収容体には、
内部と外部を連通し、前記二酸化塩素粉末が気化して発生した二酸化塩素ガスを外部に排出し得る通気部が設けられている
ことを特徴とする空気浄化アタッチメント。
【請求項２】
前記装置が、
その本体部の側面に前記吹き出し部を備えており、
前記付属具は、
前記収容体を、その通気部が前記本体部の側面に設けられた吹き出し部の下方に位置するように前記本体部に取付けて使用するものである
ことを特徴とする請求項１記載の空気浄化アタッチメント。
【請求項３】
前記装置には、
その本体部の前面に前記空気を本体部内に吸引するための吸い込み部が形成されており、
該吸い込み部から吸引された空気を前記本体部の外部に排出するための前記吹き出し部が前記本体部の上面に設けられており、
前記付属具は、
前記収容体を、前記本体部の背面に取付けて使用するものである
ことを特徴とする請求項１記載の空気浄化アタッチメント。
【請求項４】
前記二酸化塩素粉末が、
袋に封入包装されて包装体となっており、
該包装体が、
前記収容体内に収容されている
ことを特徴とする請求項１、２または３記載の空気浄化アタッチメント。
【請求項５】
前記収容体は、
その収容空間の容積が、前記包装体の体積よりもわずかに大きくなるように形成されており、
前記本体部に取付けられる背板と、該背板の両側端縁に立設された一対の側壁とを備えた固定部と、
下端が該固定部における前記背板の下端に連結され、該下端を支点として前記固定部の背板に対して接近離間するように揺動する可動部と、を備えており、
該可動部は、
前記固定部の背板に接近した状態において、前記一対の側壁間の開口を覆い、該可動部と前記固定部との間に前記収容空間を形成し得る形状に形成されている
ことを特徴とする請求項４記載の空気浄化アタッチメント。
【請求項６】
空気を本体部内に吸引して該吸引した空気を吹き出し部から排出する機能を備えた空気浄化装置であって、
該空気浄化装置は、
前記本体部の側面に前記吹き出し部を備えており、
該吹き出し部の下方には、
二酸化塩素粉末を内部の収容空間に収容し得る収容体が設けられており、
該収容体には、
内部と外部を連通し、前記二酸化塩素粉末が気化して発生した二酸化塩素ガスを外部に排出し得る通気部が設けられている
ことを特徴とする空気清浄機。
【考案の詳細な説明】
【技術分野】
【０００１】
本考案は、空気浄化アタッチメントおよび空気清浄機に関する。さらに詳しくは、二酸化塩素ガスを利用した空気浄化アタッチメントおよび空気清浄機に関する。
【背景技術】
【０００２】
大気中には、ウイルス等の様々な雑菌が存在しており、かかるウイルス（例えば新型インフルエンザウイルス）等を人が吸引した場合には、そのウイルス等に感染して病気になる可能性がある。
そこで、空気中に存在するウイルス等を殺菌することにより人が吸引する空気からウイルス等を除き、人がウイルス等に感染することを防止する技術が開発されている。例えば、特許文献１には、装置に吸引した空気を二酸化塩素ガスに接触させて殺菌し、殺菌した空気を装置の外部に供給する環境浄化器が開発されている。
二酸化塩素は、極めて不安定で、その取り扱いが難しい物質である。そこで、特許文献１の環境浄化器は、二酸化塩素をアルカリ性溶液に溶解させた安定化二酸化塩素溶液から二酸化塩素ガスを発生させる構成を採用しており、発生させた二酸化塩素ガスを吸引した空気に接触させて消臭殺菌するというものである。
【０００３】
かかる環境浄化器は、空気中のウイルス等を減少させることができるので、人がウイルス等に感染して病気になることを防ぐ上では有効である。
しかし、本体部内において二酸化塩素溶液から二酸化塩素ガスを発生させるという構成を採用するため、複雑な構造を備える必要がある。しかも、かかる環境浄化器内において、二酸化塩素溶液から二酸化塩素ガスを発生させるので、二酸化塩素溶液を収容する容器およびガス生成機構等が大型化するため、装置も大型化してしまうという問題点も生じる。また、二酸化塩素溶液がアルカリ性であるため安全上の問題もある。
【先行技術文献】
【特許文献】
【０００４】
【特許文献１】特開平３−２２８７７１号公報
【考案の概要】
【考案が解決しようとする課題】
【０００５】
本考案は上記事情に鑑み、簡単な構造で、空気を浄化することができ、ウイルス感染等を有効に防ぐことができる空気浄化アタッチメントおよび空気清浄機を提供することを目的とする。
【課題を解決するための手段】
【０００６】
第１考案の空気浄化アタッチメントは、空気を本体部内に吸引して該吸引した空気を吹き出し部から排出する機能を備えた装置における、該吹き出し部の近傍に取付けて使用するための付属具であって、該付属具は、二酸化塩素粉末を内部の収容空間に収容し得る収容体を備えており、該収容体には、内部と外部を連通し、前記二酸化塩素粉末が気化して発生した二酸化塩素ガスを外部に供給し得る通気部が設けられていることを特徴とする。
第２考案の空気浄化アタッチメントは、第１考案において、前記装置が、その本体部の側面に前記吹き出し部を備えており、前記付属具は、前記収容体を、その通気部が前記本体部の側面に設けられた吹き出し部の下方に位置するように前記本体部に取付けて使用するものであることを特徴とする。
第３考案の空気浄化アタッチメントは、第１考案において、前記装置には、その本体部の前面に前記空気を本体部内に吸引するための吸い込み部が形成されており、該吸い込み部から吸引された空気を前記本体部の外部に排出するための前記吹き出し部が前記本体部の上面に設けられており、前記付属具は、前記収容体を、前記本体部の背面に取付けて使用するものであることを特徴とする。
第４考案の空気浄化アタッチメントは、第１、第２または第３考案において、前記二酸化塩素粉末が、袋に封入包装されて包装体となっており、該包装体が、前記収容体内に収容されていることを特徴とする。
第５考案の空気浄化アタッチメントは、第４考案において、前記収容体は、その収容空間の容積が、前記包装体の体積よりもわずかに大きくなるように形成されており、前記本体部に取付けられる背板と、該背板の両側端縁に立設された一対の側壁とを備えた固定部と、下端が該固定部における前記背板の下端に連結され、該下端を支点として前記固定部の背板に対して接近離間するように揺動する可動部と、を備えており、該可動部は、前記固定部の背板に接近した状態において、前記一対の側壁間の開口を覆い、該可動部と前記固定部との間に前記収容空間を形成し得る形状に形成されていることを特徴とする。
第６考案の空気清浄機は、空気を本体部内に吸引して該吸引した空気を吹き出し部から排出する機能を備えた空気浄化装置であって、該空気浄化装置は、前記本体部の側面に前記吹き出し部を備えており、該吹き出し部の下方には、二酸化塩素粉末を内部の収容空間に収容し得る収容体が設けられており、該収容体には、内部と外部を連通し、前記二酸化塩素粉末が気化して発生した二酸化塩素ガスを外部に供給し得る通気部が設けられていることを特徴とする。
【考案の効果】
【０００７】
第１考案によれば、付属具に収容されている二酸化塩素粉末が空気中に含まれる水分と反応して二酸化塩素ガスを発生し、この二酸化塩素ガスが付属具に設けられた通気部から外部に供給される。この付属具を装置の吹き出し部の近傍に取付ければ、二酸化塩素ガスをこの吹き出し部から排出される空気の流れに乗せて撒布することができる。すると、この付属具を用いれば、空気を装置内に吸引して、かかる空気を装置内で浄化する構成を採用する場合に比べ、より簡単な構造で空気を浄化することができる。
第２考案によれば、付属具を構成する収容体の通気部から供給される二酸化塩素ガスの流動方向を、本体部の側面に設けられた吹き出し部から排出される空気の側面排出流動方向と交差させることができる。すると、通気部から供給される二酸化塩素ガスを、本体部の側面に設けられた吹き出し部から排出される空気の流れに確実に乗せることができる。これにより、両流動方向が交差しない場合に比べ、効率よく二酸化塩素ガスを撒布することができる。
第３考案によれば、本体部の前面に吸い込み部が設けられているので、本体部の背面に配置した付属具の通気部から供給される二酸化塩素ガスを、本体部の背面に対して斜め前方に向って上昇させることができる。すると、二酸化塩素ガスの流動方向と本体部の上面に設けられた吹き出し部から排出される空気の上面排出流動方向とを交差させることができるので、両流動方向が交差しない場合に比べ、効率よく二酸化塩素ガスを撒布することができる。
第４考案によれば、収容体内に二酸化塩素粉末を直接収容する場合に比べ、二酸化塩素粉末を収容する収容体の構造を簡単にすることができる。また、収容体から二酸化塩素粉末がこぼれることがないし、二酸化塩素粉末に直接触れなくてもよいので、安全に使用することができる。
第５考案によれば、固定部に取付けられた可動部を、固定部の背板の下端を支点として固定部の背板に対して離間するように揺動させれば、両者間に大きな開口を形成することができる。このため、かかる開口を通して収容空間内に包装体を出し入れすることができるので、包装体の供給および取替えを容易にすることができる。
第６考案によれば、空気浄化装置の本体部の側面に設けられた収容体内に収容された二酸化塩素粉末は、空気中に含まれる水分と反応して二酸化塩素ガスを発生し、その二酸化塩素ガスが通気部から外部に供給される。収容体の通気部が、吹き出し部の下方に配置されているので、収容体の通気部から供給される二酸化塩素ガスの流動方向を、本体部の側面に設けられた吹き出し部から排出される空気の側面排出流動方向と交差させることができる。すると、収容体の通気部から供給される二酸化塩素ガスを、本体部の側面に設けられた吹き出し部から排出される空気の流れに確実に乗せることができる。
よって、この空気浄化装置は、両流動方向が交差しない場合に比べ、効率よく二酸化塩素ガスを撒布して空気を浄化することができる。
しかも、この空気浄化装置は、空気を装置内に吸引して、かかる空気を浄化する構成を採用する場合に比べ、より簡単な構造で空気を浄化することができる。
【図面の簡単な説明】
【０００８】
【図１】本考案の空気浄化アタッチメントの使用状態の概略説明図であり、（Ａ）は二酸化塩素粉末を収容体内に収容して装置に取付けた状態の説明図であり、（Ｂ）は（Ａ）の装置側面の部分拡大説明図である。
【図２】本考案の空気浄化アタッチメントに二酸化塩素粉末を収容体内に収容した状態の説明図である。
【図３】図２のＩＩＩ線断面矢視図であり、（Ａ）は収容体の可動部を固定部の背板から離間させた状態において、収容空間に包装体を供給している説明図であり、（Ｂ）は収容体の可動部を固定部の背板に接近させた状態において、収容空間に包装体を収容した状態を示した説明図である。
【図４】本考案の空気浄化アタッチメントの他の実施例の説明図である。
【図５】本考案の空気浄化アタッチメントの他の実施例の使用例であり、（Ａ）は装置前面の吸気口に吸引される空気の流れを説明している説明図であり、（Ｂ）は空気浄化アタッチメントを装置背面に取付けた説明図であり、（Ｃ）は（Ｂ）の紙面左視部分側面拡大図である。
【考案を実施するための形態】
【０００９】
つぎに、本考案の実施形態を図面に基づき説明する。
まず、本実施形態の空気浄化アタッチメント２０について説明する。
本実施形態の空気浄化アタッチメント２０は、図１に示す空気浄化装置３０に取付けて使用するための付属具であって、吹き出し部３２から排出される空気Ｃを簡単な構造で浄化することができるようにしたことに特徴を有している。
【００１０】
（装置の説明）
まず、空気浄化アタッチメント２０を説明する前に、空気浄化アタッチメント２０が取付けられる装置を説明する。
空気浄化アタッチメント２０を取付けるための装置は、空気を装置の本体部内に吸引して、この吸引した空気を吹き出し部から装置本体部の外に排出する機能を備えたものである。
例えば、空気浄化装置３０は、装置本体部外の空気を内部に吸い込むための吸い込み部３１と、本体部内において、図示しない吸気した空気を浄化するための浄化手段と、この浄化した空気を本体部外に排出するための吹き出し部３２とを備えたものである。この吹き出し部３２は、本体部の上面と側面に設けられている。本体部の上面に設けられた吹き出し部３２は、以下単に、上面吹き出し部３２ｂといい、本体部の側面に設けられた吹き出し部３２は、以下単に、側面吹き出し部３２ａという。
【００１１】
なお、吹き出し部３２は、空気浄化装置３０の本体部の側面に設けられた側面吹き出し部３２ａから排出される空気Ｃａが流れる方向が、水平に対してやや上方に向かって排出されるようになっていることが好ましい。この場合、後述する二酸化塩素ガスＡを遠くまで撒布することができる。
例えば、側面吹き出し部３２ａを覆う部材に板状の羽が形成されていれば、かかる部材を調整することで排出される空気の方向を調整して、排出される空気を水平に対してやや上方に向かって排出させることができるし、本体部内に回転ファンが設けられていれば、回転ファンの配置により、かかる状態を形成することも可能である。
【００１２】
また、上述の例では、空気浄化アタッチメント２０が取付けられる装置として、空気浄化装置３０を示したが、この装置に限定されず、上述した機能を備えた装置、例えば、空調システムとして使用される装置や自動車等に使用されるエア・コンディショナ等も採用することができる。
【００１３】
（空気浄化アタッチメント２０の説明）
図２に示すように、本実施形態の空気浄化アタッチメント２０（以下単にアタッチメント２０という）は、二酸化塩素粉末Ｍを内部に収容し得る収容体２１を備えた構成である。
【００１４】
二酸化塩素粉末Ｍは、二酸化塩素を粉末や顆粒状等にしたものである。この二酸化塩素粉末Ｍは、空気中の水分と反応して気化し、二酸化塩素ガスを発生させることができるように調整されたものであり、市販されている製品を使用することができる。
【００１５】
（収容体２１の説明）
収容体２１は、内部に二酸化塩素粉末Ｍを空気と共に収容できる収容空間２１ｈを有するものである。例えば、図２に示すように、収容体２１として、中空な矩形の箱を採用することができるが、内部に二酸化塩素粉末Ｍを収容する収容空間２１ｈを有するものであれば特に限定されない。
【００１６】
この収容体２１には、図２に示すように、矩形の箱形状に形成された収容体２１の上面に、その収容空間２１ｈと外部との間を連通する通気部２１ａが設けられている。この通気部２１ａは、少なくとも収容体２１内に二酸化塩素粉末Ｍを収容すると、この二酸化塩素粉末Ｍが空気中の水分と反応して発生した二酸化塩素ガスＡを外部に供給することができるように形成されている。
【００１７】
なお、上述の例では、収容体２１として、通気部２１ａを上面としたときに、その断面形状が矩形のものを示したが、この形状に限定されず、三角形の形状のもの等も採用することができる。
【００１８】
以上のごとき構成であるから、収容体２１内の収容空間２１ｈに二酸化塩素粉末Ｍを収容すれば、二酸化塩素粉末Ｍが収容空間２１ｈ内の空気に含まれる水分と反応するので二酸化塩素ガスＡが発生する。すると、発生した二酸化塩素ガスＡを、収容体２１に設けられた通気部２１ａから収容体２１の外部に供給することができる。
【００１９】
（空気浄化アタッチメント２０の取付位置の説明）
以上のごとき構成とする本実施形態のアタッチメント２０は、上述したように装置に取付けて使用される。
【００２０】
具体的には、図１（Ａ）に示すように、アタッチメント２０を側面吹き出し部３２ａの下方に、アタッチメント２０の収容体２１の通気部２１ａが位置するように取付ける。
このように収容体２１を配置すると、収容体２１内の二酸化塩素粉末Ｍが空気中の水分と反応して発生した二酸化塩素ガスＡは、通気部２１ａから収容体２１の外部に供給される。収容体２１の外部に供給された二酸化塩素ガスＡは、通気部２１ａからある程度の高さまで略垂直に上昇する（図１（Ｂ）の通気部２１ａ近傍の点線矢印）。
一方、空気浄化装置３０の空気の吹き出し部３２から排出される空気Ｃのうち、側面吹き出し部３２ａから排出される空気Ｃａは、水平に対してやや上方に向かって排出される（図１（Ｂ）の本体部側面の実線太矢印）。
すると、収容体２１の通気部２１ａから供給された二酸化塩素ガスＡが流れる方向（以下、単に二酸化塩素ガスＡ流動方向という）と、側面吹き出し部３２ａから排出された空気Ｃａが流れる方向（以下、単に側面排出流動方向という）を交差させることができるので、通気部２１ａから供給される二酸化塩素ガスＡを側面吹き出し部３２ａから排出された空気Ｃａの流れに確実に乗せることができるのである。
【００２１】
上記のごとく、アタッチメント２０を空気浄化装置３０に取付ければ、両流動方向が交差しない場合、例えば、二酸化塩素ガスＡ流動方向と、空気の吹き出し部３２から排出される空気が流れる方向（以下、単に排出流動方向という）とがそれぞれ略垂直方向、言い換えれば、両流動方向が略平行である場合に比べ、効率よく二酸化塩素ガスＡを撒布することができる。
すると、撒布された二酸化塩素ガスＡと接触した空気中に存在するウイルス等を完全ではないものの、ある程度殺菌することができる。
これにより、人は呼吸をしたときに、ウイルス等がある程度殺菌されて浄化された空気を吸引することになるので、人がウイルス等に感染することを防ぐことができる。
【００２２】
しかも、本実施形態のアタッチメント２０を使用すれば、空気を装置内に吸引して、かかる空気を装置内で浄化する構成を採用する場合、例えば、装置内で二酸化塩素溶液から二酸化塩素ガスを発生させる構成を採用する場合に比べ、より簡単な構造で空気を浄化することができる。
【００２３】
なお、撒布された二酸化塩素ガスＡと接触する空気とは、吹き出し部３２から排出された空気Ｃのほか、排出された空気Ｃ以外の空気も含まれる。吹き出し部３２から排出された空気Ｃとは、例えば、側面吹き出し部３２ａから排出された空気Ｃａといい、排出された空気Ｃ以外の空気とは、例えば、側面吹き出し部３２ａから排出された空気Ｃａと混合、接触する空気をいう。
【００２４】
また、上述の例では、アタッチメント２０を側面吹き出し部３２ａの下方に１個取付けて使用する場合を示したが、空気浄化装置３０の本体部に取付けて使用するアタッチメント２０の数は、複数であってもよい。例えば、上述の例に加えて、上面吹き出し部３２ｂの近傍にさらにアタッチメント２０を取付けて使用してもよい。すると、側面吹き出し部３２ａの下方に取付けたアタッチメント２０から供給される二酸化塩素ガスＡによる効果に加え、上面吹き出し部３２ｂの近傍に取付けたアタッチメント２０から供給される二酸化塩素ガスＡにより上面吹き出し部３２ｂから排出された空気Ｃｂ等を浄化することができる。
【００２５】
（取付位置の他の例）
上述した空気浄化装置３０のように、前面に空気を吸引するための吸気口を備えた装置では、アタッチメント２０を、装置の背面に、取付けてもよい（図５（Ｂ）参照）。
【００２６】
この場合、装置の前面には、吸気口が設けられているので、装置使用状態において、吸気口に吸引される空気の流れ（以下、単に吸気流という）は、吸気口の前方および側方付近から吸気口に向って流れる。
しかも、装置内に設けられた空気を吸引するための吸気ファン等の吸引能力が高い場合、装置の背面付近の空気が前面の吸気口に向かう流れ（図５（Ａ）における符号Ｄに示す黒太矢印参照）が形成される。
つまり、吸気ファン等の吸引能力が高い場合、装置の背面後方の空気が、装置前面に設けられた吸気口に向かって、背面後方から装置側面に沿って巻き込むようにして流れる。
【００２７】
かかる流れが形成されるので、この装置の背面に収容体２１を配置すれば、収容体２１から外部に供給された二酸化塩素ガスＡは、上昇しつつ吸気流に乗って装置の前面に向かって流れる。
つまり、供給される二酸化塩素ガスＡを、垂直に対して斜め前方に向って上昇させることができる。
すると、かかる二酸化塩素ガスＡ流動方向（図５（Ｃ）における符号Ａで示す点線矢印参照）を上面排出流動方向（図５（Ｃ）における符号Ｃｂの白太矢印参照）に交差させることができる。
そうすると、通気後部２１ａから供給される二酸化塩素ガスＡを、装置上面に設けられた排気口から排出される空気の流れに確実に乗せることができる（図５（Ｂ）および（Ｃ）参照）。
【００２８】
上記のごとく、前面に空気を吸引するための吸気口を備えた装置では、アタッチメント２０を、装置の背面に取付ければ、上記流動方向が交差しない場合、例えば、前面に吸気口を備えていない装置の背面にアタッチメント２０を取付け場合に比べ、効率よく二酸化塩素ガスＡを撒布することができる。
【００２９】
なお、アタッチメント２０の収容体２１の通気部２１ａが、装置前面の吸気口の上端縁よりも上方に位置するように、装置の背面に取付けてもよい。
このような位置に収容体２１を取付ければ、通気部２１ａが吸気口の上端縁よりも上方に位置しているので、通気部２１ａから上方に向って供給された二酸化塩素ガスＡが、吸気口に吸引されにくくすることができる。
【００３０】
なお、通気部２１ａの上端縁が、装置の上面に設けられた吹出口と同じ位置、つまり、通気部２１ａの上端縁と上記吹出口が面一になるように配置してもよい。この場合、通気部２１ａから供給される二酸化塩素ガスＡが装置背面の部材に直接に接触することを防止できる。
【００３１】
（包装体ＭＰの説明）
また、図３に示すように、収容体２１内に直接、二酸化塩素粉末Ｍを供給するのではなく、二酸化塩素粉末Ｍが袋に封入された包装体ＭＰを収容体２１内に供給してもよい。
この場合、収容体２１内に二酸化塩素粉末Ｍを直接収容する場合に比べ、二酸化塩素粉末Ｍを収容する収容体２１の構造を簡単にすることができる。また、収容体２１から二酸化塩素粉末Ｍがこぼれることがないし、二酸化塩素粉末Ｍに直接触れなくてもよいので、安全に使用することができる。
かかる包装体ＭＰには、例えば、市販されている製品（例えば、ＢＡＳＦ社製  Ａｓｅｐｔｒｏｌ（ＣＳＲ−１．０５  １０ｇ  Ｓａｃｈｔ））等を使用することができるが、この製品に限られるのは言うまでもない。例えば、袋の素材が、水分を吸収しこの水分を内部の二酸化塩素粉末Ｍに供給でき、しかも、二酸化塩素ガスＡを透過させることができる包装体であれば使用することが可能である。
また、さらなる安全のため、上記市販されている製品を上記機能を有する袋で覆ったものを採用してもよい。つまり、二酸化塩素粉末Ｍを二重の袋で包装しているので、肌の弱い人がかかる包装体に触れても皮膚炎等になるのを低減できるので好ましい。
【００３２】
（包装体ＭＰを収容するための収容体２１の説明）
また、収容体２１を以下のように形成すれば、図２に示すように複数の貫通孔により通気部２１ａが形成されている場合であっても、かかる包装体ＭＰを収容体２１内に容易に供給することができ、包装体ＭＰの取替えも容易にできるので好適である。
【００３３】
具体的には、図３（Ｂ）に示すように、収容体２１は、固定部２２と可動部２３とを備えており、両者は、可動部２３が固定部２２に対して揺動できるように連結されている。しかも、固定部２２と可動部２３の両者間に形成される収容空間２１ｈは、その容積が包装体ＭＰの体積よりもわずかに大きくなるように形成されているので、包装体ＭＰの供給および取替えを容易にすることができる。
【００３４】
以下、個々の部材について説明する。
固定部２２は、空気供給装置の本体部に取付けられる背板２２ａと、この背板２２ａの両側端縁に立設された一対の側壁２２ｂとを備えるように形成されている。
【００３５】
可動部２３は、その下端が固定部２２における背板２２ａの下端に連結部２４により連結され、この下端の連結部２４を支点として固定部２２の背板２２ａに対して接近離間するように揺動可能に固定部２２に取付けられている。つまり、可動部２３は、固定部２２の背板２２ａに接近した状態において、言い換えれば、可動部２３を閉じた状態において、一対の側壁２２ｂ間の開口を覆い、この可動部２３と固定部２２との間に上記収容空間２１ｈを形成し得る形状に形成されている。
【００３６】
すると、可動部２３を、固定部２２の下端に設けられた連結部２４を支点として、固定部２２の背板２２ａに対して離間するように揺動すれば、両者間に大きな開口を形成することができる。このため、かかる開口を通して収容空間２１ｈ内に包装体ＭＰを出し入れすることができるので、収容体２１の通気部２１ａから包装体ＭＰを収容体２１内の収容空間２１ｈに供給する場合に比べ、包装体ＭＰの供給および取替えを容易にすることができる。
【００３７】
なお、連結部２４は、可動部２３を揺動可能に固定部２２の下端に連結できる構成であれば、とくに限定されない。例えば、固定部２２の側壁２２ｂ下端部と可動部２３の側端縁部の下端部に連通する貫通孔を設けて、かかる貫通孔にボルト等を挿入した構成を採用してもよい。また、固定部２２の側壁２２ｂ下端部に内側に向う凹部を形成し、これに対応する凸部を可動部２３の側端部の下端部に形成する構成を採用してもよい。この場合、図２および図３（Ａ）に示すように、可動部２３は、その側端縁が固定部２２の一対の側壁２２ｂを挟み込んで覆うように形成されているので、ボルトなど他の部材を採用することなく、可動部２３を揺動可能に固定部２２の下端に連結することができるの好適である。
また、可動部２３を固定部２２の背板２２ａに対して接近した状態において、可動部２３と固定部２２が離間しないように固定手段２５を設けてもよい。固定手段２５は、図３（Ａ）に示すように、可動部２３の側端縁部の上部に内側に向う凸部２５ａを設け、かかる凸部に対応する凹部２５ｂを固定部２２の側壁２２ｂに設けた構成を採用してもよい。この場合、振動等により可動部２３と固定部２２が離間するのを防ぐことができるので好適である。
【００３８】
（空気浄化アタッチメントの他の例）
空気浄化アタッチメントの他の例について説明する前に、二酸化塩素ガスと空気浄化アタッチメントを取付けるための装置の部材との関係について説明する。
合成樹脂製の部材に二酸化塩素ガスが長時間接触すると、接触した部分の合成樹脂を変質（例えば硬化など）させるおそれがある。
このような問題を解決するため、以下に説明する構成を備えた収容体４１を採用すれば、供給された二酸化塩素ガスＡが装置の背面等の部材に接触するのを防止できる。とくに、空気中濃度が高い供給された直後の二酸化塩素ガスＡがこれら部材に接触するのを効率的に防止できるという利点がある。
【００３９】
（空気浄化アタッチメント４０の説明）
図４に示すように、本実施形態の他の空気浄化アタッチメント４０は、二酸化塩素粉末Ｍを収容し得る収容体４１を備えた構成であり、通気部４１ａが設けられた収容体４１の上面部から上方に突出した突出部４２ａが背板４２に形成されているという点で、上述した収容体２１と異なる。
なお、上述した収容体２１と同一の内容については、説明を割愛する。
【００４０】
（収容体４１の説明）
収容体４１は、背板４２と収容部４３とから構成されている。収容部４３は、その下端縁および側端縁が背板４２に連結しており、その内面は、背板４２の内面と対向するように形成され、かつ、両者間に空間が形成されている。つまり、収容部４３と背板４２との間には、二酸化塩素粉末Ｍを収容するための収容空間４１ｈが形成されている。
また、収容体４１の上部には、収容空間４１ｈと外部との間を連通する通気部４１ａが設けられている。
しかも、背板４２には、通気部４１ａが設けられた収容体４１の上面部から上方に突出した突出部４２ａが形成されている。
【００４１】
以上のごとき構成であるから、空気浄化アタッチメント４０の収容体４１の背板４２の上端縁が装置の背面の上端縁に略一致するように配置（図５（Ｂ）参照）して取付ければ、上記効果を効率的に得ることができる。
なぜなら、上記のごとく配置すると、装置周辺の空気は上述した吸気流が形成されるので、通気部４１ａから収容体４１の外部に供給された二酸化塩素ガスＡは、装置の背面上部に沿うように垂直に対して斜め前方に向って上昇しながら流れる（図５（Ｃ）点線矢印参照）。
しかし、通気部４１ａの上方と装置背面との間には、突出部４２ａが存在するので、供給された二酸化塩素ガスＡが、装置背面の部材に直接に接触するのを防止できるからである。
つまり、突出部４２ａが形成された背板４２により、通気部４１ａから収容体４１の外部に供給された二酸化塩素ガスＡが、収容体４１を取付けた部分の装置の部材に直接に接触することを防止できるのである。
【００４２】
例えば、合成樹脂の一種であるポリエチレンを素材として装置背面の部材が成形されている場合、上記のごとく収容体４１を配置するように空気浄化アタッチメント４０を装置に取付けるのが好ましい。
【００４３】
なお、収容体４１を配置する際、背板４２の上端縁と装置の背面の上端縁との間に若干の隙間が形成されていてもよい。空気中濃度が高い供給された直後の二酸化塩素ガスＡを、突出部４２ａにより装置背面の部材と接触させないので、完全ではないものの上述の効果をある程度の得ることができる。
【００４４】
（その他）
（固定方法）
なお、アタッチメント２０を空気浄化装置３０の本体部に取付ける方法は特に限定されない。例えば、アタッチメント２０の収容体２１と本体部との間に接着部材等を設けて、本体部にアタッチメント２０を接着して固定してもよい。また、上記接着部材に代えて、収容体２１を着脱可能に形成された保持具を採用することもできる。この場合、収容体２１の収容空間２１ｈに収容する二酸化塩素粉末Ｍの供給または取替えが、収容体２１を本体部に固定する場合に比べ、容易にすることができるので好適である。
【００４５】
また、収容体２１の背板２２ａに接着剤等を設けて空気浄化装置３０の本体部に接着して固定する場合、背板２２ａの接着面の形状、つまり、空気浄化装置３０の本体部に対して取付ける面の形状が、本体部の収容体２１を取付け位置の形状と同一になるように形成すると好適である。
【００４６】
つまり、本体部の取付位置の形状が平らであれば、背板２２ａの背面の形状も平らに形成し、本体部の取付位置の形状が湾曲している場合は、その曲率変形と略同じ曲率半径になるように背板２２ａの背面の形状を形成する。すると、収容体２１の背板２２ａの背面と、空気浄化装置３０の本体部の取付位置における面の間には、隙間が形成されないから、空気浄化装置３０の本体部にアタッチメント２０を強固に固定して取付けることができる。
【００４７】
（通気部の形状）
さらになお、収容体２１の通気部２１ａは、収容空間２１ｈから二酸化塩素ガスＡを収容体２１の外に供給できればよいので、通気部２１ａの形状は特に限定されない。
例えば、収容する二酸化塩素の形状が粉体であれば、細かい貫通孔を通気部２１ａとしてもよい。通気部２１ａを、かかる細かい貫通孔とすれば、二酸化塩素粉末Ｍがこぼれたりすることを防ぐことができる。
一方、図２に示すように、通気部２１ａをある程度の大きさの貫通孔を複数備えた構造にしておけば、この通気部２１ａから二酸化塩素粉末Ｍを収容体２１の収容空間２１ｈに補充することが可能となる。また、通気部２１ａをある程度の大きさにしておけば、内部を観察することができるので、二酸化塩素粉末Ｍを切らすことなく補充することができ、常に二酸化塩素ガスＡにより空気を浄化することができる。
【００４８】
また、図４に示すように、通気部４１ａが、包装体ＭＰを収容空間４１ｈ内に供給等することができる程度の大きさの貫通孔を備えるように形成されていてもよい。この場合、かかる貫通孔は一つであるので構造が簡単であり、形成が容易である。
【００４９】
（外気取り入れ方法）
さらになお、図４に示すように、収容部４３の下部に、収容空間４１ｈと収容体４１の外とを連通する外気取り入れ部４３を設けてもよい。外気取り入れ部４３を設ければ、アタッチメント２０を装置に取付けて使用する状態において、収容体４１の外の空気が外気取り入れ部４３から供給されるので、収容空間４１ｈに収容された二酸化塩素粉末Ｍを空気中の水分と効率よく反応させることができるので、好適である。
【００５０】
（空気清浄機の説明）
次に、本実実施形態の空気清浄機の一例について説明する。
上記例では、空気浄化アタッチメント２０を空気浄化装置３０の側面吹き出し部３２ａの下方に取付けて使用する場合について説明したが、両者が一体となった構成を採用してもよい。
【００５１】
具体的には、図１に示すように、空気供給装置が空気浄化装置３０であって、この本体部の側面に設けられた側面吹き出し部３２ａの下方に、上記空気浄化アタッチメント２０を本体部側面と一体、かつ、収容体２１の通気部２１ａが側面吹き出し部３２ａの下方に位置するように設ける。
【００５２】
すると、空気浄化アタッチメント２０が上記のごとき構成であるので、収容体２１内に収容された二酸化塩素粉末Ｍは、空気中に含まれる水分と反応して二酸化塩素ガスＡを発生し、その二酸化塩素ガスＡが通気部２１ａから外部に供給される。
【００５３】
すると、収容体２１の通気部２１ａから供給される二酸化塩素ガスＡの流れ方向を、側面吹き出し部３２ａから排出される空気Ｃａの流れ方向と交差させることができる。
【００５４】
しかも、空気浄化アタッチメント２０が本体部側面と一体となっているので、空気浄化アタッチメント２０が本体部から脱落や紛失等することがないので好適である。
【００５５】
さらに、かかる空気清浄機は、本体内部で吸引した空気を浄化するという機能に加えて、上述した空気浄化アタッチメント２０と同様の機能を発揮させることができる。つまり、空気清浄機に、空気を本体部の内部に吸引し、吸引した空気を内部に設けられた空気浄化手段等により浄化して本体部の外に供給する機能と、本体部の側面に設けられた空気浄化アタッチメント２０の収容体２１の通気部２１ａから供給される二酸化塩素ガスＡにより空気を浄化する機能の両機能とを付与することができる。
【００５６】
すると、かかる空気清浄機は、まず、吸引した空気を本体部内に設けた空気浄化手段により浄化することができる。次に、本体部の外に排出された空気を空気浄化アタッチメント２０の収容体２１の通気部２１ａから供給される二酸化塩素ガスＡにより浄化することができる。さらに、供給される二酸化塩素ガスＡを排出される空気の流れ方向に乗せることができるので、二酸化塩素ガスＡを広範囲に撒布することができる。すると、撒布された二酸化塩素ガスＡに接触した空気をも浄化することができる。つまり、かかる空気清浄機は、本体部に吸引した空気を２段階で浄化するとともに、吸引する前の空気をも二酸化塩素ガスＡにより浄化することができる。言い換えれば、かかる空気清浄機は、３段階で空気を浄化することができるのである。
【００５７】
以上のごとき構成であるので、かかる空気清浄機は、３段階の浄化手段により人が呼吸する空気を二酸化塩素ガスＡによって浄化することができるので、空気に起因して人がウイルス等に感染することを有効に防ぐことができる。
【００５８】
なお、本実実施形態の空気清浄機に備える空気浄化アタッチメント２０の収容体２１内に供給する二酸化塩素粉末Ｍは、粉末のまま使用してもよいが、上述した袋に封入された包装体ＭＰとして収容体２１内に供給してもよい。
とくに、包装体ＭＰの場合は、収容体２１内の収容空間２１ｈに包装体ＭＰを容易に供給等するため、空気浄化アタッチメント２０の収容体２１が固定部２２と可動部２３とを備えた構成とするのが好適である。
【産業上の利用可能性】
【００５９】
本考案の空気浄化アタッチメントおよび空気清浄機は、空気中のウイルス等を殺菌して空気を浄化する用具および機器に適している。
【符号の説明】
【００６０】
２０    空気浄化アタッチメント
２１    収容体
２１ａ  通気部
２１ｈ  収容空間
２２    固定部
２２ａ  背板
２２ｂ  側壁
２３    可動部
３０    空気浄化装置
３１    吸い込み部
３２    吹き出し部
３２ａ  側面吹き出し部
Ａ    二酸化塩素ガス
Ｍ    二酸化塩素粉末
ＭＰ    包装体
【図１】
0003162441.tif 000003
【図２】
0003162441.tif 000004
【図３】
0003162441.tif 000005
【図４】
0003162441.tif 000006
【図５】
0003162441.tif 000007